(57)【特許請求の範囲】
【請求項１】
自動車のタイヤが穴に落ちたときに用いられる自己救助脱出装置であって、中央位置決め装置、少なくとも一つのタイヤクリップ、及び、支持装置を含み、前記中央位置決め装置はタイヤのスポーク中央位置に取り付けられ、前記タイヤクリップ及び前記中央位置決め装置は互いに連結され且つタイヤに締め付けられ、前記支持装置はタイヤクリップに連結され、前記支持装置に穴地面に接触するヘッダがさらに設けられ、前記ヘッダがタイヤのエッジから延出しており、
自動車タイヤに取り付けられる滑り止めチェーン装置をさらに含み、前記滑り止めチェーン装置は、滑り止めチェーン及び前記滑り止めチェーンを自動車のタイヤに締め付けるための締め付け装置を含み、
前記滑り止めチェーンは、少なくとも一枚のチェーンリンクで構成され、前記滑り止めチェーンは自動車タイヤの表面に取り付けられ、
前記締め付け装置は位置決めシートと締め付けバンドを含み、前記位置決めシートは前記中央位置決め装置と前記締め付けバンドの間に接続され、前記締め付けバンドは自動車のタイヤに締め付けられ、
前記締め付け装置はさらに接続リングと接続フックを含み、前記接続リングはタイヤの側面に適応され且つ前記位置決めシートに接続され、前記接続フックの一端は前記滑り止めチェーンに接続され、他端は前記接続リングに接続されることを特徴とする自己救助脱出装置。
【請求項２】
前記中央位置決め装置は中央位置決め盤を含み、前記中央位置決め盤がタイヤのスポーク中央位置に取り付けられることを特徴とする請求項１に記載の自己救助脱出装置。
【請求項３】
前記中央位置決め盤に中央ネジ穴が設けられ、前記中央ネジ穴がスポーク中央位置に合うことを特徴とする請求項２に記載の自己救助脱出装置。
【請求項４】
前記中央位置決め装置は吸盤及び中央ネジ穴を貫通するスクリューをさらに含み、前記吸盤がスポーク中央位置に吸着され、前記スクリューの一端に前記吸盤が接続され、他端にハンドルが設けられていることを特徴とする請求項３に記載の自己救助脱出装置。
【請求項５】
前記中央位置決め装置は少なくとも一組の並列リングをさらに含み、前記並列リングは前記中央位置決め盤の外縁に位置し且つ複数のリングを含むことを特徴とする請求項２に記載の自己救助脱出装置。
【請求項６】
前記タイヤクリップには、外クリップ、内クリップ、及び、外クリップと内クリップに接続された上クリップが設けられ、前記外クリップ、内クリップ又は上クリップの長さが調整可能であることを特徴とする請求項１に記載の自己救助脱出装置。
【請求項７】
前記外クリップは接続板を含み、接続板の下部にネジフックが設けられ、前記中央位置決め装置は少なくとも一組の並列リングを含み、ネジフックと並列リングが互いに嵌合されることを特徴とする請求項６に記載の自己救助脱出装置。
【請求項８】
前記支持装置は支持フレームを含み、前記支持フレームは管状本体及び管状本体の左右両側に設けられる固定クリップを含み、前記タイヤクリップに溝が設けられ、前記固定クリップと前記溝が互いに嵌合されることを特徴とする請求項１に記載の自己救助脱出装置。
【請求項９】
前記管状本体の一端に前記ヘッダが設けられ、他端にゴムシートが設けられていることを特徴とする請求項８に記載の自己救助脱出装置。
【請求項１０】
管状本体の内部にスプリング及び止めピンが設けられていることを特徴とする請求項８に記載の自己救助脱出装置。
【請求項１１】
前記支持フレームに自動車タイヤに取り付けられる上クリップと内クリップが設けられ、前記上クリップは管状本体から外側へ延出されていることを特徴とする請求項８に記載の自己救助脱出装置。
【請求項１２】
回転盤をさらに含み、前記回転盤は前記中央位置決め装置に取り付けられ且つ外部装置に接続されることを特徴とする請求項１に記載の自己救助脱出装置。
【発明の詳細な説明】
【技術分野】
【０００１】
本発明は自動車が穴に落ちたときの自己脱出技術装置分野に関し、特に自動車のタイヤが穴に落ちたときに用いられる自己救助脱出装置に関する。
【背景技術】
【０００２】
自動車の発明は、人々に利便性を提供する。自動車産業の発展につれ、自動車運転の安全性と快適性だけでなく、自動車の多機能性も求められている。しかし自動車が砂漠又は泥濘地を走行時に、天気条件又は地理環境等の影響で、自動車タイヤがサンドピット又は土ピットに落ちやすく、はまってしまう。特に冬の北地方の氷雪天気の場合、地面に雪がたまり、地面が滑りやすく、自動車は地面の滑り問題に合うケースが多く、よく事故が発生してしまう。
【０００３】
自動車の長時間走行中に、タイヤが滑ったり、ピット（穴）に落ちたり、空回りしたりする現象がよくあり、悪い場合は事故が発生し、夏の雨天、冬の氷雪及び路面状況が悪くなった場合もそうである。そのため、自動車タイヤの滑り止め、空回り防止、穴落ち防止及び穴に落ちたときの自己脱出対策は自動車の正常、安全運転に重要な意味を持つ。
【０００４】
現在市場にタイヤ滑り止め装置が数多くあり、よく見られているのは鉄チェーン、ポリウレタンチェーン又はゴムチェーンで作られたもので、タイヤに滑り止めチェーンを付けることによって路面に巨大なプレスを与え、路面との摩擦力を大きくして滑り止めの役割を達成し、自動車走行の安全性を高めている。欠点としては脱着が難しくて、自重が重く、タイヤへの損傷及び路面の破壊が大きく、ある程度は自動車走行の安全性に影響する。特に我が国の東北、西北の高寒地域において、冬の氷雪期間が長いため、路面滑り、穴落ち、空回り等による交通事故が毎年数万件もあり、従来技術における滑り止めチェーンの実際応用での滑り止め効果が理想的ではない。空回り又は穴落ちのときの自己脱出措置が不完備で、且つ滑り止めチェーン、自己救助脱出装置の脱着が複雑で、かなり手間がかかる。
【発明の概要】
【発明が解決しようとする課題】
【０００５】
上記技術問題を解決するために、本発明は自動車のタイヤが穴に落ちたときに用いられる自己救助脱出装置を開示し、それは自動車の滑り止め、空回り、穴落ち等に対して効果的な脱出を実施でき、脱着しやすく、手間を省き、走行安全性を高め、事故発生率を低減させる。
【課題を解決するための手段】
【０００６】
上記目的を達成するために、本発明の提供する主な技術的解決手段は以下のとおりである。すなわち、自動車のタイヤが穴に落ちたときに用いられる自己救助脱出装置であって、中央位置決め装置、少なくとも一つのタイヤクリップ、及び、支持装置を含み、自動車脱出時に、中央位置決め装置をタイヤのスポーク中央位置にし、タイヤクリップと中央位置決め装置は互いに接続され且つタイヤに締め付けられ、支持装置とタイヤクリップは互いに接続され且つタイヤに締め付けられ、支持装置に路面に当てるヘッダがさらに設けられ、ヘッダがタイヤのエッジから延出しており、自動車タイヤに取り付けられる滑り止めチェーン装置をさらに含み、前記滑り止めチェーン装置は、滑り止めチェーン及び前記滑り止めチェーンを自動車のタイヤに締め付けるための締め付け装置を含み、前記滑り止めチェーンは、少なくとも一枚のチェーンリンクで構成され、前記滑り止めチェーンは自動車タイヤの表面に取り付けられ、前記締め付け装置は位置決めシートと締め付けバンドを含み、前記位置決めシートは前記中央位置決め装置と前記締め付けバンドの間に接続され、前記締め付けバンドは自動車のタイヤに締め付けられ、前記締め付け装置はさらに接続リングと接続フックを含み、前記接続リングはタイヤの側面に適応され且つ前記位置決めシートに接続され、前記接続フックの一端は前記滑り止めチェーンに接続され、他端は前記接続リングに接続される。
【０００７】
好ましくは、中央位置決め装置は中央位置決め盤を含み、それがタイヤのスポーク中央位置に取り付けられる。
【０００８】
好ましくは、中央位置決め盤に中央ネジ穴と、中央ネジ穴の周りに均等に配置されたネジ穴とが設けられ、中央ネジ穴がスポーク中央位置に合い、ネジ穴がスポーク中央位置の小穴に合い且つボルトを経由して互いに固定される。
【０００９】
好ましくは、中央位置決め装置は吸盤及び中央ネジ穴を貫通するスクリューをさらに含み、吸盤がスポーク中央位置に吸着され、スクリューの一端に吸盤が接続され、他端にハンドルが設けられている。
【００１０】
好ましくは、中央位置決め装置は少なくとも一組の並列リングをさらに含み、並列リングは中央位置決め盤の外縁に位置し且つ複数のリングを含む。
【００１１】
好ましくは、タイヤクリップには、外クリップ、内クリップ、及び、外クリップと内クリップに接続された上クリップが設けられ、前記外クリップ、内クリップ又は上クリップの長さが調整可能である。
【００１２】
好ましくは、前記外クリップは接続板を含み、接続板の下部にネジフックが設けられ、前記中央位置決め装置は少なくとも一組の並列リングを含み、ネジフックと並列リングが互いに嵌合される。
【００１３】
好ましくは、前記支持装置は支持フレームを含み、支持フレームは管状本体及び管状本体の左右両側に設けられる固定クリップを含み、タイヤクリップに溝が設けられ、固定クリップと溝が互いに嵌合される。
【００１４】
好ましくは、管状本体の一端に前記ヘッダが設けられ、他端にゴムシートが設けられている。
【００１５】
好ましくは、管状本体の内部にスプリング及び止めピンが設けられている。
【００１６】
好ましくは、支持フレームに自動車タイヤに取り付けられる上クリップと内クリップが設けられ、上クリップは管状本体から外側へ延出されている。
【００１７】
好ましくは、前記自動車のタイヤが穴に落ちたときに用いられる自己救助脱出装置は、回転盤をさらに含み、回転盤は中央位置決め装置に取り付けられ且つ外部装置に接続される。
【００１９】
その他、本発明はさらに自動車のタイヤが穴に落ちたときに用いられる自己救助脱出装置の取り付け及び取扱方法を開示し、それは以下のステップを含む。
【００２０】
（１）（タイヤクリップの組み付け）  少なくとも一組のタイヤクリップを選択し、タイヤクリップを実際の自動車タイヤのサイズに応じて高さを調整後に、タイヤの径方向に沿って均等にタイヤに嵌め込むこと、
（２）（中央位置決め装置の組み付け）  中央位置決め装置を穴に落ちた自動車タイヤのスポークの中央位置に据え付け且つタイヤクリップに嵌合させること、
（３）  支持装置を自動車タイヤに取り付けると同時にタイヤクリップに接続して固定すること、及び、
（４）  自動車を発進させ、支持装置と穴に落ちたタイヤを一緒に回転させることにより、その上にあるヘッダを雪路面又は陥没地面に支持させ、それによって自動車タイヤを穴から脱出させること。
【００２１】
本発明の自動車のタイヤが穴に落ちたときに用いられる自己救助脱出装置の取り付け及び取扱方法は、さらに以下を含む。滑り止めチェーン装置を提供し、それは滑り止めチェーン及び締め付け装置を含み、締め付け装置と中央位置決め装置を互いに嵌合し且つ滑り止めチェーンを自動車タイヤの表面に固接する。
【００２２】
本発明の自動車のタイヤが穴に落ちたときに用いられる自己救助脱出装置の取り付け及び取扱方法は、さらに以下を含む。回転盤を提供し、回転盤を中央位置決め装置に据え付け且つ外部装置に接続する。
【発明の効果】
【００２３】
上記のことより、本発明は従来技術と比べ、以下の有益な効果を有する。自動車タイヤが穴に落ちて滑って空回りしたときに、本脱出装置を使用し、“高く支持する”という方式で、便利で、迅速で、安全に穴から脱出することができ、且つ脱出装置の取り外しも簡単である。使いやすくて、脱着しやすくて、快速である。本発明を自然災害での救助活動に応用することもでき、それに滑り止めチェーン及び回転盤が設けられ、その他の自動車の穴落ち、空回り等にも脱出救助を実施できる。滑り止めチェーンは容易に脱着でき、滑り路面に適用される。回転盤を設けることによって、その他の道具、機器へ接続でき、本発明の応用シートをさらに広めることができる。
【図面の簡単な説明】
【００２４】
【図１】本発明に対応するよい実施例の自動車のタイヤが穴に落ちたときに用いられる自己救助脱出装置及び自動車タイヤの組立図である。
【図２】図１における自動車タイヤのイメージ図である。
【図３】図１における自動車のタイヤが穴に落ちたときに用いられる自己救助脱出装置の中央位置決め装置の構造図であって、そのうち図３ａは正面図、図３ｂは側面図である。
【図４】図１における自動車のタイヤが穴に落ちたときに用いられる自己救助脱出装置のタイヤクリップ構造図であって、そのうち図４ａは正面図、図４ｂは左側面図、図４ｃは右側面図、図４ｄは上面図である。
【図５】中央位置決め装置とタイヤクリップの組立図である。
【図６】図１における自動車のタイヤが穴に落ちたときに用いられる自己救助脱出装置の支持装置の正面図である。
【図７】図６の支持装置の左側面図である。
【図８】本発明に対応するよい実施例の自動車のタイヤが穴に落ちたときに用いられる自己救助脱出装置の回転盤イメージ図であって、そのうち８ａは４穴回転盤、図８ｂは５穴回転盤、図８ｃは６穴回転盤である。
【図９】本発明の脱出装置の滑り止めチェーンのイメージ図であって、そのうち図９ａはチェーンリンクの正面図である。図９ｂはチェーンリンクの上面図である。図９ｃはチェーンリンクの側面図である。図９ｄはチェーンリンクの立体図である。図９ｅはチェーンプレートの平面図である。
【図１０】チェーンプレート滑り止め装置の位置決めシートのイメージ図であって、そのうち図１０ａは位置決めシートの立体イメージ図である。図１０ｂは位置決めシーの上面図である。図１０ｃは位置決めシーの側面図である。
【図１１】本発明の脱出装置の滑り止めチェーン装置とタイヤの取り付け図であって、そのうち、図１１ａはその立体図で、図１１ｂはその上面図で、図１１ｃは別の立体図で、図１１ｄはその正面図である。
【発明を実施するための形態】
【００２５】
以下に好適な実施例及び付図を合わせて本発明の技術的解決手段をさらに非制限的に記載する。
【００２６】
図１から図２のように、本発明のよい実施例に該当する自動車のタイヤが穴に落ちたときに用いられる自己救助脱出装置であって、それは中央位置決め装置１、少なくとも一つのタイヤクリップ２０、及び、支持装置３０を含む。中央位置決め装置１は、タイヤ５０のスポーク５２の中央位置５４に取り付けられ、タイヤクリップ２０と中央位置決め装置１は互いに連結され且つタイヤ５０に締め付けられ、支持装置３０はタイヤクリップ２０に連結され且つタイヤ５０に締め付けられる。
【００２７】
さらに図３のように、上記中央位置決め装置１は、中央位置決め盤１０、中央位置決め盤１０を貫通するスクリュー１２、スクリュー１２の一端に設けられる吸盤１１、及び、スクリュー１２の他端に設けられるハンドル１３を含む。具体的には、中央位置決め盤１０は円盤状で、中央ネジ穴１６及び中央ネジ穴１６の周りに均等に配置された複数のネジ穴１４が設けられている。中央ネジ穴１６はスポーク５２の中央位置５４のサイズに対応して設けられている。ネジ穴１４はスポーク５２にある小穴５６に対応し、中央ネジ穴１６はスポーク５２の中央位置５４に対応している。
【００２８】
その他、中央位置決め盤１０の外縁に少なくとも一組の並列リング１５が設けられている。それぞれの並列リング１５は複数のリング１７を有し、本発明の最適な実施例の場合、並列リング１５は三組に分けられ、中央位置決め盤１０の外縁に均等に配置され、それぞれの並列リング１５に三つのリング１７がある。上記スクリュー１２は中央ネジ穴中心螺孔１６に嵌設されている。吸盤１１は一部が球体状になり、スクリュー１２の一端に固設され、ハンドル１３はスクリュー１２の他端に取り付けられている。
【００２９】
図４と図５のように、上記タイヤクリップ２０は大体フック状になり、それに外クリップ２３、内クリップ２１、及び、外クリップ２３と内クリップ２１の間に接続される上クリップ２２が設けられている。外クリップ２３、内クリップ２１又は上クリップ２２は長さと幅を調整できる。上クリップ２２の両端には内クリップ２１、外クリップ２３が互いに同じ側となるように垂直に一体結合（vertical integration）され、且つ内クリップ２１及び外クリップ２３と上クリップ２２との接続角が全て弧形にされ、タイヤ５０との接触面積を広めさせている。内クリップ２１はタイヤ５０の内側面に嵌合され、上クリップ２２はタイヤ５０の頂面に嵌合され、外クリップ２３は前記タイヤ５０の外側面に嵌合される。
【００３０】
外クリップ２３に接続板２５が設けられ、接続板２５の下側に３つのネジフック２６が設けられている。ネジフック２６は、中央位置決め盤１０にある並列リング１５の対応するリング１７との嵌合に用いられる。内クリップ２１、上クリップ２２及び外クリップ２３のそれぞれには、二列に複数の溝２４が設けられ、互いの滑り止めチェーンの貫通（図示なし）、接続金具（図示なし）の接続固定、又は支持装置３０との固設に用いられる。
【００３１】
その他、内クリップ２１、上クリップ２２は共に二段式構造とされ、その二段の間はスライド溝と差し込みプレートで可動的に接続されている。スライド溝と差し込みプレートのスライド及びロックによって内クリップ２１、上クリップ２２の長さと幅を調整でき、それによりタイヤ５０の高さと幅に対応させる。外クリップ２３と接続板２５の間にもスライド溝と差し込みプレートが可動的に接続され、且つスライド及びロックによって外クリップ２３の長さと幅を調整し、このようにして内クリップ２１、上クリップ２２、外クリップ２３の長さ、幅を調整することで、異なるサイズのホイール５１に対応させることができる。
【００３２】
さらに図６と図７のように、上記支持装置３０は支持フレーム３１を含む。支持フレーム３１には管状本体３１０が設けられている。管状本体３１０は、内管３４、内管３４の下側に嵌設されたつなぎ管３２、及び、内管３４に嵌設されたブッシング３１４を含む。内管３４はスプリング及び止めピンによってブッシング３１４にロックされている。つなぎ管３２の下側にさらに外管３３が嵌設されている。支持フレーム３１の管状本体３１０の頂部は、タイヤ５０の外表面から延出し、且つその頂部（すなわち内管３４の頂部）にヘッダ３５が設けられている。すなわちヘッダ３５もタイヤ５０の外表面から延出し、それはタイヤ５０脱出時に、タイヤ５０の回転に伴って、ヘッダ３５と陥没路面との接触に用いられ、それによりタイヤ５０を逆方向から支えるようにする。ヘッダ３５の支え作業が終わった後に、内管３４にあるスプリング及び止めピン（図示なし）をトリガーすることで、前記ヘッダ３５が自動的に元の位置に戻り、タイヤ５０脱出後の正常走行に影響が出ない。本発明の最適な実施例の場合、当該ヘッダ３５が孤状であるが、その他の非規則的な形状でも可能になり、例えば平面、球面等であってもよい。支持フレーム３１の底部（外管３３の底部）には、ゴムシート３７及びゴムシート３７と外管３３の間にある支持管３６が設けられている。ゴムシート３７はタイヤ５０の外表面に接触し、タイヤ５０への損傷を回避する。その他、ブッシング３１４の上方向に上クリップ３１２と内クリップ３１１が延出され、ブッシング３１４、上クリップ３１２及び内クリップ３１１で凹形になり、且つ径方向に沿ってタイヤ５０に嵌設され、且つ上クリップ３１２、内クリップ３１１は可動的二段式であって、スライド溝、差し込みプレートによってその長さと幅を調整してタイヤ５０のサイズに対応する。ブッシング３１４は前記タイヤ５０の外側面に取り付けられ、上クリップ３１２はタイヤ５０の頂部に嵌設され、内クリップ３１１はタイヤ５０の内側面に嵌設される。ブッシング３１４の下側に、左右方向へ一対の固定クリップ３１３が延出されて設けられ、固定クリップ３１３に嵌合ヘッダ３１５が設けられ、嵌合ヘッダ３１５はタイヤクリップ２０の外クリップ２３にある溝２４に嵌設される。
【００３３】
前記支持フレーム３１は、内クリップ３１１、上クリップ３１２、固定クリップ３１３、ブッシング３１４を含む。前記ブッシング３１４の上端に上クリップ３１２が垂直して固定され、前記上クリップ３１２に内クリップ３１１が垂直して設けられ、前記ブッシング３１４の下側につなぎ管３２が固定され、前記つなぎ管３２の外側に止めピンによって外管３３が可動的に嵌設されている。前記外管３３の下側に支持管３６が嵌設され、前記支持管３６の下側は封止され、前記支持管３６の外側にゴムシート３７が設けられている。前記ブッシング３１４及びつなぎ管３２の内部に内管３４が設けられ、前記内管３４の頂部にヘッダ３５が一体固定されている。
【００３４】
さらに図８のように、本発明の自動車のタイヤが穴に落ちたときに用いられる自己救助脱出装置はさらに回転盤４０を含む。回転盤４０は円盤構造であって、そのうえに中央位置決め盤１０に対応する中央ネジ穴４４及び円周ネジ穴４５が設けられ、ボルトによる中央位置決め盤１０の固設に役立つ。回転盤４０に径方向に沿って均等に４つ（図８ａ）又は５つ（図８ｂ）又は６つのスライドレール（図８ｃ）４１が設けられている。スライドレール４１にガイドプレート４２が設けられ、ガイドプレート４２の外側にボルト穴４３が開けられ、前記ボルト穴４３はガイドプレート４２によってその径方向の距離を調整し、ボルトネジ４３によって外部装置に接続され、外部動力による引っ張り又はプールを通じて動力支点を伝達する。
【００３５】
そのほか、図９ａ〜図９ｅのように、本発明の自動車のタイヤが穴に落ちたときに用いられる自己救助脱出装置には、雪網装置とも呼ばれる、滑り止めチェーン装置がさらに設けられている。滑り止めチェーン装置は、滑り止めチェーン６０と、滑り止めチェーン６０に結合された締め付け部品とを含む。滑り止めチェーン装置はタイヤ５０に対応して使われ、ぬかるみ又は氷雪路面での滑り止め、路面付着力又は摩擦力の向上に用いられる。チェーンプレート６０は、複数のチェーンリンク６２を接続することで構成されている。それぞれのチェーンリンク６２に滑り止め面６４と摩擦力向上面６６とが設けられている。滑り止め面６４は一定の弧度を有し、且つ外向きで路面に接触する。摩擦力向上面６６はタイヤ表面に接触する。チェーンリンク６２には、滑り止め６４からはみ出た複数の凸状ブロック６１及び一対の凹溝６３が設けられ、凸状ブロック６１は路面との接触摩擦力を向上させることができる。それぞれのチェーンリンク６２の両側に全て第一接続ヘッダ６８及び第二接続ヘッダ６９が設けられ、チェーンリンク６２の第一接続ヘッダ６８は隣接するチェーンリンク６２にある第二接続ヘッダ６９に嵌合されている。このように隣接されたチェーンリンク６２の接続ヘッダ６８の間は取り外し又は組み付けが可能になり、それにより実際のタイヤ５０のサイズに応じて滑り止めチェーン６０の長さを調整可能である。本発明のよりよい実施例の場合、三組の滑り止めチェーン６０を設けることができ、各組の滑り止めチェーン６０は三枚のチェーンリンク６２を接続することで構成されている。その他、各チェーンリンク６２の両端にそれぞれバックル用穴６５が設けられている。さらに図１０ａから図１１ｄのように、上記締め付け部品は位置決めシート７０、締め付けバンド７２、接続リング７４及び接続フック７６を含む。本発明のよりよい実施例の場合、位置決めシート７０が三枚設けられ、これらがタイヤ５０の径方向に沿って均等に配置されている。各位置決めシート７０の一端に嵌合フック７１が設けられ、上記基地決め盤１０の並列リング１５に嵌合され、その他端に一対の止めピン７３が設けられている。締め付けバンド７２はタイヤ５０に締め付けられ、その一端は止めピン７３に嵌合され、他端は接続リング７４に嵌設される。上記接続リング７４は円状であり、タイヤ５０の円周方向に対応させ、且つ位置決めシート７０の一対の止めピン７３の間に位置する。上記接続フック７６は、一端がチェーンリンク６２のバックル用穴６５に係止され、他端が接続リング７４に係止され、それぞれのチェーンリンク６２の両端は二本の締め付けバンド７２によって接続リング７４に接続され、それにより各組のチェーンプレート６０をタイヤ５０の路面に接触するタイヤ表面５５に締め付けることができる。
【００３６】
好ましくは、前記滑り止めチェーン６０は鋼製ケーブル、チェーンタイプ、プラスチック網タイプ又は釘タイプが可能である。チェーンプレート６０はさらに一枚式チェーンリンク６２、三枚式チェーンリンク６２、又は４〜６０枚の複数枚式チェーンリンク６２を提供し、それにより自由に取り外して或いは長さの調整を行う。
【００３７】
上記のことから、本発明は上記滑り止めチェーン６０及び締め付け部品の組み合わせにより、自動車が雪又はぬかるみにはまったときに、容易に上記滑り止めチェーン６０を自動車タイヤ５０のタイヤ表面５５に取り付け、それによって高い滑り止め効果を達成する。
【００３８】
自動車が穴に落ち、自動車タイヤ５０が穴に落ちて或いは空回りしたとき、本発明の自動車のタイヤが穴に落ちたときに用いられる自己救助脱出装置の据付ステップは以下のとおりである。
【００３９】
（１）  （タイヤクリップ２０の組み付け）  普通は三組のタイヤクリップ２０を選択し、タイヤクリップ２０を実際のタイヤ５０のサイズに応じて各クリップ２１、２２、２３の長さを調整後に、タイヤの径方向に沿って均等にタイヤに嵌設する。
（２）  （中央位置決め盤１０の据付）  中央位置決め盤１０をスポーク５２の中央位置５４に配置し、続いて中央位置決め盤１０にある並列リング１５と各タイヤクリップ２０のネジフック２６を互いに嵌合し、続いてハンドル１３を回して内側へ押し出し、スクリュー１２にある吸盤１１をスポーク５２の中央位置５４に吸着させる。
（３）  支持装置３０の上クリップ３１２と内クリップ３１１をそれぞれタイヤ５０の上部及び内側に配置して締め付け、続いて支持フレーム３１にある固定クリップ３１３の嵌合ヘッダ３１５と隣接するタイヤクリップ２０にある溝２４に嵌設し、且つつなぎ管３２を外管３３に差し込み、位置調整後に止めピンで固定し、前記外管３３を下側へ支持管３６まで延出されて固定する。
（４）  続いて内管３４を前記ブッキング３１４に嵌設し、内管３４の端部のヘッダ３５の高さを調整し且つそれを雪路面又は陥没路面に置くことができるようにし、且つ内管３４とブッキング３１４にあるスプリング及び止めピンを設けたら自動車の発進ができ、支持装置３０のヘッダ３５は自動車タイヤ５０の回転に伴って回転し且つ雪路面又は陥没路面に当て、それにより効果的にタイヤ５０を“支持”し、これによって容易で、迅速で、安全に自動車タイヤ５０を穴から脱出させ、最後に本発明の脱出装置を取り外す。
【００４０】
そのほか、自動車の穴落ちの状況に基づき、本発明の脱出装置は上記方法によって滑り止めチェーン装置を合わせることで、より効果的に路面の滑りを回避し、運転安全性を向上させる。
【００４１】
さらに要求がある場合は、回転盤４０と外部装置の組み合わせにより、その他のツール、器具を接続し、実際の車種に基づいてマッチされる回転盤４０を選択し、中央位置決め盤１０の位置決め穴に組み立て、ネジで固設し、中央固定盤１０と回転盤４０のネジ穴を締め付けるだけで組み立てを完成し、例えば、回転盤４０を“ウインチ”に接続したら、タイヤを“ウインチ装置”として使用でき、自車又はその他の車両脱出の助けになれる。当該回転盤４０に“空気ポンプ”又は“ポンプ”を接続したら、ガス又は水を吸い込むことができ、この機能は田舎、野地又は自然災害にあった領域又は人員救出領域で使える。
【００４２】
上記の具体的な実施例により、本発明の有益な効果は以下にあることが見える。自動車が不良天候、氷雪路面、悪い路面状態において、滑りや空回りの回避及び自動車が穴落ちにあったときに、効果的に自己救出、迅速救出するための専用器具である。自動車タイヤが穴に落ちて滑りや空回りになったときに、本脱出装置を使用すれば、“支持”の方式によって、容易で、迅速で、安全に穴から脱出し、且つ脱出装置を迅速に取り外すこともできる。そして、使いやすく、脱着しやすくて、迅速である。本発明を自然災害時の救出過程に応用することができ、それに滑り止めチェーン及び回転盤が設けられ、その他の穴落ち、空回りになった自動車への救出も実施できる。滑り止めチェーンは容易に取り付けて使用することができる。前記回転盤をその他のツール、器具に接続することで、本発明の応用をさらに拡張する。
【００４３】
説明が必要なのは、上記のよりよい実施例は本発明の技術の考えや特徴を説明するためのものだけであって、その目的はこの技術に詳しい技術者が本発明の内容を理解してそれに基づいて実施することにあり、それが本発明の保護範囲を制限するものではない。本発明の実質に基づく等価変更又は修飾は、全て本発明の保護範囲内とする。
【符号の説明】
【００４４】
１０  中央位置決め盤
１１  吸盤
１２  スクリュー
１３  ハンドル
１４  ネジ穴
１５  並列リング
２０  タイヤクリップ
２１  内クリップ
２２  上クリップ
２３  外クリップ
２４  溝
２５  接続板
２６  ネジフック
３０  支持装置
３１  支持フレーム
３１０．管状本体
３１１  内クリップ
３１２  上クリップ
３１３  固定クリップ
３１４  ブッシング
３２  つなぎ管
３３  外管
３４  内管
３５  ヘッダ
３６  支持管
３１５  嵌合ヘッダ
４１  ガイドレール
４２  ガイドプレート
４３  ボルト穴
４４  中央ネジ穴
４５  周囲ネジ穴
５０  タイヤ
５１  ホイール
５２  スポーク
５４．  中央位置
５５  タイヤ表面
５６  小穴
６０  チェーンプレート
６１  凸状ブロック
６２  チェーンリンク
６３  凹溝
６４  滑り止め面
６５  バックル用穴
６６  摩擦力向上面
６８  第一接続ヘッダ
６９  第二接続ヘッダ
７０  位置決めシート
７１  嵌合フック
７２  締め付けバンド
７３  止めピン
７４  接続リング
７５  締め付け装置
７６  接続フック
【図１】
0006511145.tif 000002
【図２】
0006511145.tif 000003
【図３ａ】
0006511145.tif 000004
【図３ｂ】
0006511145.tif 000005
【図４ａ】
0006511145.tif 000006
【図４ｂ】
0006511145.tif 000007
【図４ｃ】
0006511145.tif 000008
【図４ｄ】
0006511145.tif 000009
【図５】
0006511145.tif 000010
【図６】
0006511145.tif 000011
【図７】
0006511145.tif 000012
【図８ａ】
0006511145.tif 000013
【図８ｂ】
0006511145.tif 000014
【図８ｃ】
0006511145.tif 000015
【図９ａ】
0006511145.tif 000016
【図９ｂ】
0006511145.tif 000017
【図９ｃ】
0006511145.tif 000018
【図９ｄ】
0006511145.tif 000019
【図９ｅ】
0006511145.tif 000020
【図１０ａ】
0006511145.tif 000021
【図１０ｂ】
0006511145.tif 000022
【図１０ｃ】
0006511145.tif 000023
【図１１ａ】
0006511145.tif 000024
【図１１ｂ】
0006511145.tif 000025
【図１１ｃ】
0006511145.tif 000026
【図１１ｄ】
0006511145.tif 000027